(57)【要約】【課題】本発明の主な目的は、センシング区域のサイズを調節し且つ再度定義することができるサイズ可変型センサーシステムを提供することにある。【解決手段】本発明では、第一素子と第二素子と第三素子と第四素子と２つの画像検出装置と標示とを含むサイズ可変型センサーシステムを提供する。第一素子、第二素子、第三素子及び第四素子は、順に連結して框を形成し、且つ框の内の平行四辺形をセンシング区域にする。第一素子と第三素子の長さを所定の方向に沿って変えることにより框のサイズを変える。センシング区域と向き合う第二素子、第三素子及び第四素子の表面に反射材料が形成されている。２つの画像検出装置は、第一素子の両端に設置されて、２つの画像検出装置がいつもセンシング区域の２つの隅部に位置し、且つセンシング区域の全面を検出するようにする。標示は、センシング区域と向き合う第三素子の表面に設置され、且つ第四素子と固定距離がある。【選択図】図５
2010146573.tif 000002
【特許請求の範囲】
【請求項１】
順に連結して框を形成し、框の内の平行四辺形をセンシング区域にする第一素子、第二素子、第三素子及び第四素子と、
いつも前記センシング区域の２つの隅部に位置してセンシング区域の全面を検出するように前記第一素子の両端に設置する２つの画像検出装置と、
前記センシング区域と向き合う前記第三素子の表面に設置され、且つ前記第四素子と固定距離がある標示と、を含むサイズ可変型センサーシステムにおいて、
前記第一素子と第三素子の長さを所定の方向に沿って変えることにより框のサイズを変え、且つ前記センシング区域と向き合う第二素子、第三素子及び第四素子の表面に反射材料が形成されていることを特徴とするサイズ可変型センサーシステム。
【請求項２】
前記２つの画像検出装置に電気接続され、且つ前記センサーシステムが第一使用状態から第二使用状態になり、前記センシング区域が最初サイズから第二サイズになる場合、前記画像検出装置が検出する標示により、センシング区域が最初サイズになる時前記第三素子がある辺の長さとセンシング区域が第二サイズになる時前記第三素子がある辺の長さの差異を計算し、前記センシング区域のサイズを再度定義し、
又、前記２つの画像検出装置が検出する画像によりポインターの座標を計算する電気回路をさらに含むことを特徴とする請求項１の記載のサイズ可変型センサーシステム。
【請求項３】
前記電気回路に電気接続されて電気回路が出力するデータを対応する接収端へ通信し、且つ有線通信手段或いは無線通信手段から構成される通信手段をさらに含むことを特徴とする請求項２の記載のサイズ可変型センサーシステム。
【請求項４】
各々の画像検出装置は、赤外線照明装置と赤外線だけを透過させる赤外線透過装置を具備し、各々の画像検出装置は、前記赤外線透過装置によりセンシング区域の画像を検出することを特徴とする請求項１の記載のサイズ可変型センサーシステム。
【請求項５】
前記第一素子は、前記２つの画像検出装置を中に入れられる容器形に形成され、前記第一素子の開口には、前記画像検出装置が前記センシング区域の画像を検出できるように透明板が形成され、
前記透明板を全面が皆透明する透明板或いは少なくとも１つの透明窓口を具備する透明板に設けて、前記画像検出装置が透明する部分により前記センシング区域の画像を検出するようにすることを特徴とする請求項１の記載のサイズ可変型センサーシステム。
【請求項６】
前記透明板を全面が皆透明する透明板に設ける場合、透明板の全面が赤外線が透過させ、少なくとも１つの透明窓口を具備する透明板に設ける場合、透明板の透明窓口だけが外線が透過させることを特徴とする請求項５の記載のサイズ可変型センサーシステム。
【請求項７】
順に連結して框を形成し、框の内の平行四辺形をセンシング区域にする第一素子、第二素子、第三素子及び第四素子と、
いつも前記センシング区域の２つの隅部に位置してセンシング区域の全面を検出するように前記第一素子の両端に設置する２つの画像検出装置と、
前記センシング区域と向き合う前記第四素子の表面に設置され、且つ前記第一素子と固定距離がある標示と、を含むサイズ可変型センサーシステムにおいて、
前記第二素子と第四素子の長さを前記第一素子と遠くなる方向に沿って変えることにより框のサイズを変え、且つ前記センシング区域と向き合う第二素子、第三素子及び第四素子の表面に反射材料が形成されていることを特徴とするサイズ可変型センサーシステム。
【請求項８】
前記２つの画像検出装置に電気接続され、且つ前記センサーシステムが第一使用状態から第二使用状態になり、前記センシング区域が最初サイズから第二サイズになる場合、前記画像検出装置が検出する標示により、センシング区域が最初サイズになる時前記第三素子がある辺の長さとセンシング区域が第二サイズになる時前記第三素子がある辺の長さの差異を計算し、前記センシング区域のサイズを再度定義し、
又、前記２つの画像検出装置が検出する画像によりポインターの座標を計算する電気回路をさらに含むことを特徴とする請求項７の記載のサイズ可変型センサーシステム。
【請求項９】
前記電気回路に電気接続されて電気回路が出力するデータを対応する接収端へ通信し、且つ有線通信手段或いは無線通信手段から構成される通信手段をさらに含むことを特徴とする請求項７の記載のサイズ可変型センサーシステム。
【請求項１０】
各々の画像検出装置は、赤外線照明装置と赤外線だけを透過させる赤外線透過装置を具備し、各々の画像検出装置は、前記赤外線透過装置によりセンシング区域の画像を検出することを特徴とする請求項７の記載のサイズ可変型センサーシステム。
【請求項１１】
前記第一素子は、前記２つの画像検出装置を中に入れられる容器形に形成され、前記第一素子の開口には、前記画像検出装置が前記センシング区域の画像を検出できるように透明板が形成され、
前記透明板を全面が皆透明する透明板或いは少なくとも１つの透明窓口を具備する透明板に設けて、前記画像検出装置が透明する部分により前記センシング区域の画像を検出するようにすることを特徴とする請求項７の記載のサイズ可変型センサーシステム。
【請求項１２】
前記透明板を全面が皆透明する透明板に設ける場合、透明板の全面が赤外線が透過させ、少なくとも１つの透明窓口を具備する透明板に設ける場合、透明板の透明窓口だけが外線が透過させることを特徴とする請求項１１の記載のサイズ可変型センサーシステム。
【請求項１３】
センサーシステムに適用するセンシング区域のサイズの再定義方法において、
前記センサーシステムは、順に連結して框を形成し、框の内の平行四辺形をセンシング区域にする第一素子、第二素子、第三素子及び第四素子と、前記センシング区域と向き合う前記第三素子の表面に設置され、且つ前記第四素子と固定距離がある標示と、を含み、前記第一素子と第三素子の長さを所定の方向に沿って変えることにより框のサイズを変え、且つ前記センシング区域と向き合う第二素子、第三素子及び第四素子の表面に反射材料が形成され、
前記センシング区域のサイズの再定義方法は、センサーシステムが第一使用状態から第二使用状態になる場合、前記センシング区域が最初サイズから第二サイズになるようにするステップと、
前記標示により、センシング区域が最初サイズになる時前記第三素子がある辺の長さと、センシング区域が第二サイズになる時前記第三素子がある辺の長さの差異を計算し、且つ前記センシング区域のサイズを再度定義するステップと、を含むことを特徴とするセンシング区域のサイズを再定義方法。
【請求項１４】
最小サイズになる前記センシング区域は、別々に順に連結される第一素子、第二素子、第三素子及び第四素子から構成される第一辺、第二辺、第三辺及び第四辺を含み、前記固定距離と前記第三辺の長さが同じであり、第二サイズになる前記センシング区域は、別々に順に連結される第一素子、第二素子、第三素子及び第四素子から構成される第五辺、第六辺、第七辺及び第八辺を含み、前記第五辺、第七辺及び第八辺と前記第一辺、第三辺及び第四辺が重なり、前記第五辺と第七辺の長さが前記第一辺と第三辺の長さより大きく、
前記センシング区域が第二サイズになった後、前記センサーシステムが長さの差異により前記センシング区域のサイズを再度定義し、再度定義したセンシング区域によりポインターの座標を判断し、前記長さの差異を計算する方法は、
前記第五辺と第八辺の交差点を第一点にし、前記第五辺と第六辺の交差点を第二点にし、前記第六辺と第七辺の交差点を第三点にするステップと、
前記センシング区域で、前記第二点と前記標示を連結する第一直線と前記第一点と前記第三点を連結する第二直線により２つの相似三角形を探し出し、且つその２つの相似三角形の２つの所定辺の比率により長さの差異を計算するステップと、含むことを特徴とする請求項１３の記載のセンシング区域のサイズを再定義方法。
【請求項１５】
センサーシステムに適用するセンシング区域のサイズの再定義方法において、
前記センサーシステムは、順に連結して框を形成し、框の内の平行四辺形をセンシング区域にする第一素子、第二素子、第三素子及び第四素子と、前記センシング区域と向き合う前記第三素子の表面に設置され且つ前記第四素子と固定距離がある標示と、を含み、前記第二素子と第四素子の長さを前記第一素子と遠くなる方向に沿って変えることにより框のサイズを変え、且つ前記センシング区域と向き合う第二素子、第三素子及び第四素子の表面に反射材料が形成され、
前記センシング区域のサイズの再定義方法は、センサーシステムが第一使用状態から第二使用状態になる場合、前記センシング区域が最初サイズから第二サイズになるようにするステップと、
前記標示により、センシング区域が最初サイズになる時前記第四素子がある辺の長さと、センシング区域が第二サイズになる時前記第四素子がある辺の長さの差異を計算し、且つ前記センシング区域のサイズを再度定義するステップと、を含むことを特徴とするセンシング区域のサイズを再定義方法。
【請求項１６】
最小サイズになる前記センシング区域は、別々に順に連結される第一素子、第二素子、第三素子及び第四素子から構成される第一辺、第二辺、第三辺及び第四辺を含み、前記固定距離と前記第三辺の長さが同じであり、第二サイズになる前記センシング区域は、別々に順に連結される第一素子、第二素子、第三素子及び第四素子から構成される第五辺、第六辺、第七辺及び第八辺を含み、前記第五辺、第六辺及び第八辺と前記第一辺、第二辺及び第四辺が重なり、前記第六辺と第八辺の長さが前記第二辺と第四辺の長さより大きく、
前記センシング区域が第二サイズになった後、前記センサーシステムが長さの差異により前記センシング区域のサイズを再度定義し、再度定義したセンシング区域によりポインターの座標を判断し、前記長さの差異を計算する方法は、
前記第五辺と第八辺の交差点を第一点にし、前記第五辺と第六辺の交差点を第二点にし、前記第六辺と第七辺の交差点を第三点にするステップと、
前記センシング区域で、前記第二点と前記標示を連結する第一直線と前記第一点と前記第三点を連結する第二直線により２つの相似三角形を探し出し、且つその２つの相似三角形の２つの所定辺の比率により長さの差異を計算するステップと、含むことを特徴とする請求項１５の記載のセンシング区域のサイズを再定義方法。
【請求項１７】
センサーシステムに適用するセンシング区域のサイズの再定義方法において、
前記センサーシステムは、順に連結して框を形成し、框の内の平行四辺形をセンシング区域にする第一素子、第二素子、第三素子及び第四素子と、前記センシング区域と向き合う前記第三素子の表面に設置され且つ前記第四素子と第一固定距離がある第一標示と、前記センシング区域と向き合う前記第四素子の表面に設置され且つ前記第一素子と第二固定距離がある第二標示と、を含み、前記第一素子と第三素子の長さを所定の方向に沿って変えることと、前記第二素子と第四素子の長さを前記第一素子と遠くなる方向に沿って変えることにより前記框と框の内のセンシング区域のサイズを変え、前記センシング区域と向き合う第二素子、第三素子及び第四素子の表面に反射材料が形成され、
前記センシング区域のサイズの再定義方法は、センサーシステムが第一使用状態から第二使用状態になる場合、前記センシング区域が所定される最初サイズからすこし大きい第二サイズになるようにし、且つ最初サイズと第二サイズになる時センシング区域の２つの辺の長さが変わらないようにするステップと、
前記センシング区域のサイズが変わることにより第一標示或いは第二標示を選択し、選択する標示により所定の辺の長さの第一差異を計算することを特徴とするセンシング区域のサイズを再定義方法。
【請求項１８】
前記センシング区域のサイズの再定義方法は、
センサーシステムが第二使用状態から第三使用状態になる場合、前記センシング区域が第二サイズから第三サイズになるようにし、且つ第二サイズと第三サイズになる時センシング区域の２つの辺の長さが変わらないようにするステップと、
第一標示或いは第二標示を選択して所定の辺の長さの第二差異を計算する
前記第二差異を計算した後、前記第一差異と第二差異により前記センシング区域のサイズを再度定義し、再度定義するセンシング区域によりセンシング区域に置かれるポインターの座標を検出するステップと、を含むことを特徴とする請求項１７の記載のセンシング区域のサイズを再定義方法。
【発明の詳細な説明】
【技術分野】
【０００１】
本発明は、物体の位置を検出する技術に関し、特にサイズ可変型センサーシステムとセンシング区域のサイズを再定義する方法に関する。
【背景技術】
【０００２】
図１は、従来の技術に係るセンサーシステム（sensing system）を示す。図１のセンサーシステム１００は、パネル（panel）１１０と、画像検出装置１２０及び１３０と、電気回路１４０と、を含む。前記パネル１１０には、矩形のタッチサーフェス（touch surface）１１２が形成されている。前記画像検出装置１２０と１３０は、前記タッチサーフェス１１２の全面に形成される画像を検出することができるように、タッチサーフェス１１２の一辺（boundary）の両側にそれぞれ設置されている。前記画像検出装置１２０と１３０は、前記電気回路１４０に電気接続されている。
【０００３】
あるポインター（pointer）１５０で前記タッチサーフェス１１２を触る（或いは接近させる）場合、前記画像検出装置１２０及び１３０は、センシング方向（sensing line）１６２及び１６４に沿ってポインター１５０の画像を検出する。前記電気回路１４０は、前記画像検出装置１２０及び１３０が検出した画像に従ってセンシング方向１６２及び１６４を判断し、そのセンシング方向１６２及び１６４により前記ポインター１５０の位置を判断する。
【０００４】
しかし、前記画像検出装置１２０と画像検出装置１３０が前記パネル１１０の上に固定（或いは係合）されているので、画像検出装置１２０と画像検出装置１３０との間の距離を変えることができない。即ち、選択されるパネル１１０のサイズにより、使用者が入力する座標の面積（センシング区域のサイズ）が固定され、それを変えることができない。
【発明の概要】
【発明が解決しようとする課題】
【０００５】
本発明の主な目的は、センシング区域のサイズを調節し且つ再度定義することができるサイズ可変型センサーシステムと、前記センサーシステムに適用するセンシング区域のサイズの再定義方法を提供することにある。
【課題を解決するための手段】
【０００６】
上記課題を解決するために本発明では、第一素子と、第二素子と、第三素子と、第四素子と、２つの画像検出装置と、標示と、を含むサイズ可変型センサーシステムを提供する。前記第一素子、第二素子、第三素子及び第四素子は、順に連結して框を形成し、且つ框の内の平行四辺形をセンシング区域にする。前記第一素子と第三素子の長さを所定の方向に沿って変えることにより框のサイズを変える。前記センシング区域と向き合う前記第二素子、第三素子及び第四素子の表面に反射材料が形成されている。前記２つの画像検出装置は、前記第一素子の両端に設置されて、２つの画像検出装置がいつも前記センシング区域の２つの隅部に位置し、且つセンシング区域の全面を検出するようにする。前記標示は、前記センシング区域と向き合う前記第三素子の表面に設置され、且つ前記第四素子と固定距離がある。
【０００７】
上記課題を解決するために本発明では、第一素子と、第二素子と、第三素子と、第四素子と、２つの画像検出装置と、標示と、を含むサイズ可変型センサーシステムを提供する。前記第一素子、第二素子、第三素子及び第四素子は、順に連結して框を形成し、且つ框の内の平行四辺形をセンシング区域する。前記第二素子と第四素子の長さを前記第一素子と遠くなる方向に沿って変えることにより框のサイズを変える。前記センシング区域と向き合う第二素子、第三素子及び第四素子の表面に反射材料が形成されている。前記２つの画像検出装置は、前記第一素子の両端に設置されて、２つの画像検出装置がいつも前記センシング区域の２つの隅部に位置し、且つセンシング区域の全面を検出するようにする。前記標示は、前記センシング区域と向き合う前記第四素子の表面に設置され、且つ前記第一素子と固定距離がある。
【０００８】
上記課題を解決するために本発明では、センサーシステムに適用するセンシング区域のサイズの再定義方法を提供する。前記センサーシステムは、第一素子と、第二素子と、第三素子と、第四素子と、標示と、を含む。前記第一素子、第二素子、第三素子及び第四素子は、順に連結して框を形成する。框の内の平行四辺形はセンシング区域する。前記第一素子と第三素子の長さを所定の方向に沿って変えることにより框のサイズを変える。前記センシング区域と向き合う第二素子、第三素子及び第四素子の表面に反射材料が形成されている。前記標示は、前記センシング区域と向き合う前記第三素子の表面に設置され、且つ前記第四素子と固定距離がある。前記センシング区域のサイズの再定義方法は、センサーシステムが第一使用状態から第二使用状態になる場合、前記センシング区域が最初サイズから第二サイズになるようにするステップと、前記標示により、センシング区域が最初サイズになる時前記第三素子がある辺の長さと、センシング区域が第二サイズになる時前記第三素子がある辺の長さの差異を計算し、且つ前記センシング区域のサイズを再度定義するステップと、を含む。
【０００９】
上記課題を解決するために本発明では、センサーシステムに適用するセンシング区域のサイズの再定義方法を提供する。前記センサーシステムは、第一素子と、第二素子と、第三素子と、第四素子と、標示と、を含む。前記第一素子、第二素子、第三素子及び第四素子は、順に連結して框を形成する。框の内の平行四辺形は、センシング区域する。前記第二素子と第四素子の長さを前記第一素子と遠くなる方向に沿って変えることにより框のサイズを変える。前記センシング区域と向き合う第二素子、第三素子及び第四素子の表面に反射材料が形成されている。前記標示は、前記センシング区域と向き合う前記第三素子の表面に設置され、且つ前記第四素子と固定距離がある。前記センシング区域のサイズの再定義方法は、センサーシステムが第一使用状態から第二使用状態になる場合、前記センシング区域が最初サイズから第二サイズになるようにするステップと、前記標示により、センシング区域が最初サイズになる時前記第四素子がある辺の長さと、センシング区域が第二サイズになる時前記第四素子がある辺の長さの差異を計算し、且つ前記センシング区域のサイズを再度定義するステップと、を含む。
【００１０】
上記課題を解決するために本発明では、センサーシステムに適用するセンシング区域のサイズを再度定義する方法を提供する。前記センサーシステムは、第一素子と、第二素子と、第三素子と、第四素子と、第一標示と、第二標示と、を含む。前記第一素子、第二素子、第三素子及び第四素子は、順に連結されて框を形成する。框の内の平行四辺形は、センシング区域にする。前記第一素子と第三素子の長さを所定の方向に沿って変えることと、前記第二素子と第四素子の長さを前記第一素子と遠くなる方向に沿って変えることにより前記框と框の内のセンシング区域のサイズを変える。前記センシング区域と向き合う第二素子、第三素子及び第四素子の表面に反射材料が形成されている。前記第一標示は、前記センシング区域と向き合う前記第三素子の表面に設置され、且つ前記第四素子と第一固定距離がある。前記第二標示は、前記センシング区域と向き合う前記第四素子の表面に設置され、且つ前記第一素子と第二固定距離がある。前記センシング区域のサイズを再度定義する方法は、センサーシステムが第一使用状態から第二使用状態になる場合、前記センシング区域が所定される最初サイズからすこし大きい第二サイズになるようにし、且つ最初サイズと第二サイズになる時センシング区域の２つの辺の長さが変わらないようにするステップと、前記センシング区域のサイズが変わることにより第一標示或いは第二標示を選択し、選択する標示により所定の辺の長さの第一差異を計算する。
【発明の効果】
【００１１】
上述したように、本発明のサイズ可変型センサーシステムは、主に４つの素子と、標示と、２つの画像検出装置と、を含む。前記４つの素子を順に連結して框を形成し、框の内の平行四辺形をセンシング区域にする。前記４つの素子の中で、２つの素子の長さを変えられ、且つ素子の長さを変えることにより框のサイズを変えることができる。前記センサーシステムは、第一使用状態と第二使用状態を有し、前記センシング区域は、前記第一使用状態と第二使用状態に対応する最初サイズと第二サイズを有する。前記最初サイズは、所定されるサイズであり、前記第二サイズは、前記最初サイズより大きいサイズである。前記標示は、所定の長さを示す。前記２つの画像検出装置は、センサーシステムが第一使用状態から第二使用状態になる時に適合な位置に移動するように設置されている。前記センサーシステムが第一使用状態から第二使用状態になり、前記センシング区域のサイズが最初サイズから第二サイズになる場合、前記画像検出装置が検出する標示により、センシング区域のサイズを再度定義することができる。前記センシング区域のサイズがセンサーシステムの使用状態に従って調節され且つ再度定義されるので、使用者が需要に従って座標を入力する面積のサイズを変えることができる。
【図面の簡単な説明】
【００１２】
【図１】従来の技術に係るセンサーシステム（sensing system）を示す。
【図２Ａ】図２Ａは、本発明の第一実施形態に係るサイズ可変型センサーシステムを示す図である。
【図２Ｂ】全面が透明する本発明の透明板を示す図である。
【図２Ｃ】２つの透明窓口を有する本発明の透明板を示す図である。
【図２Ｄ】１つの透明窓口を有する本発明の透明板を示す図である。
【図３】本発明の一実施形態に係る長さ可変型素子を示す図である。
【図４】本発明の他の実施形態に係る長さ可変型素子を示す図である。
【図５】本発明のに係るセンサーシステムのサイズが変わる一方式を示す表面図である。
【図６】本発明のに係るセンサーシステムがポインターの座標を判断する一方式を示す図である。
【図７】センシング方向の直線方程式を得る方法を説明する図である。
【図８】センシング方向の直線方程式を得る方法を説明する図である。
【図９】本発明のセンサーシステムが第二使用状態になり且つセンシング区域のサイズが第二サイズになる場合、電気回路が実施する操作を説明する図である。
【図１０】電気回路が線ＦＤの長さと線ＣＤの長さの差異を計算する過程を説明する図である。
【図１１】本発明のセンサーシステムが第三使用状態になり且つセンシング区域のサイズが第三サイズになる場合、電気回路２１４が実施する操作を説明する図である。
【図１２】電気回路が線ＧＡの長さと線ＤＡの長さの差異を計算する過程を説明する図である。
【図１３】本発明の長さ可変型素子の反射材料と組み合わせて使える画像検出装置を示す図である。
【図１４】図２Ａの画像検出装置が検出する画像を説明する図である。
【図１５】本発明の第一実施形態に係るセンシング区域のサイズの再定義方法を説明する流れ図である。
【図１６】本発明の他の実施形態に係るセンシング区域のサイズの再定義方法を説明する流れ図である。
【図１７】本発明に係るサイズ可変型センサーシステムを使う一応用例を示す図である。
【発明を実施するための形態】
【００１３】
図２Ａは、本発明の第一実施形態に係るサイズ可変型センサーシステムを示す図である。本実施形態のサイズ可変型センサーシステム２００は、４つの長さ可変型素子２０２、２０４、２０６、２０８と、２つの画像検出装置２１０、２１２と、電気回路２１４と、を含む。前記４つの長さ可変型素子２０２、２０４、２０６、２０８は、順に連結されて矩形のセンシング区域を形成する。前記センシング区域と相対する３つの長さ可変型素子２０４、２０６、２０８の表面には、レトロ反射材料などのような反射材料が形成されている。前記反射材料は、前記３つの長さ可変型素子２０４、２０６、２０８の長さがどう変わっても前記センシング区域と相対する表面にずっと存在するように形成されている。前記反射材料の作用に対しては、以下で説明する。
【００１４】
本実施形態で、前記長さ可変型素子２０２は、前記画像検出装置２１０、画像検出装置２１２及び電気回路２１４を中に入れられるように容器形に形成されている。前記長さ可変型素子２０２の開口には、前記画像検出装置２１０、２１２がセンシング区域の画像を検出できるように透明板２８０が形成されている。前記画像検出装置２１０、２１２は、前記長さ可変型素子２０２の両側に位置し、且つ前記センシング区域の全体を検出できるようにセンシング区域の２つの隅にそれぞれ設置されている。前記画像検出装置２１０、２１２は、みんな前記電気回路２１４に電気接続されている。あるポインター（pointer）２１６が前記センシング区域に入る場合、前記電気回路２１４は、前記画像検出装置２１０、２１２が検出する画像により前記ポインター２１６の座標を判断する。
【００１５】
前記長さ可変型素子２０２の開口に設置される前記透明板２８０を全面が透明する透明板に設けることができる。全面が透明する透明板は、図２Ｂを参照なさい。図２Ｂは、全面が透明する本発明の透明板を示す図である。他の実施形態で、図２Ｂの透明板を赤外線だけを通させる赤外線透過フィルタ（IR-pass filter）に設けることができる。
【００１６】
他の実施形態で、前記長さ可変型素子２０２の開口に設置される前記透明板２８０を２つの透明窓口を有する透明板に設けることができる。２つの透明窓口を有する透明板は、図２Ｃを参照なさい。図２Ｃは、２つの透明窓口を有する本発明の透明板を示す図である。図２Ｃで、２８２と２８４が別々に透明板２８０の２つの透明窓口を示す。図２Ｃに示す透明板２８０で、窓口２８２と２８４を画像検出装置２１０と２１２に接近する位置に設置し、画像検出装置２１０と２１２が画像を検出することを妨害しないように透明窓口２８２と２８４のサイズを大きくする必要がある。他の実施形態で、図２Ｃの透明窓口２８２と２８４を赤外線だけが通る赤外線透過フィルタにすることができる。
【００１７】
他の実施形態で、前記長さ可変型素子２０２の開口に設置される前記透明板２８０に透明窓口を１つだけ設けて、画像検出装置２１０と２１２がその透明窓口から画像を検出するようにすることができる。１つの透明窓口を有する透明板は、図２Ｄを参照なさい。図２Ｄは、１つの透明窓口を有する本発明の透明板を示す図である。図２Ｄで、２８６が透明板２８０の透明窓口を示す。他の実施形態で、図Ｄの透明窓口２８６を赤外線だけが通る赤外線透過フィルタにすることができる。
【００１８】
図２Ａに示すサイズ可変型センサーシステム２００が通信機能を有するようにするために、前記長さ可変型素子２０２に通信手段２１８をさらに設置することができる。前記通信手段２１８は、前記電気回路２１４に電気接続されて電気回路２１４が出力するデータを対応する接収端（図に示さない）へ通信する。前記通信手段２１８は、有線通信手段或いは無線通信手段である。
【００１９】
以下、前記長さ可変型素子の２つの実施形態を例にして説明する。前記２つの実施形態に係る可変型素子の構造は、説明するための例になるだけ、図２Ａの長さ可変型素子２０２、２０４、２０６及び２０８に適用するか、本発明の範囲を限定してはない。図３は、本発明の一実施形態に係る長さ可変型素子を示す図である。図３の長さ可変型素子３００は、容器３０２と、第一部品３０４−１及び第二部品３０４−２から構成される容器３０４と、を含む。前記容器３０２は、前記容器３０４の中に入っている。前記第二部品３０４−２を矢印の方向へ移動させる場合、前記容器３０４の中に入っている前記容器３０２が外部に出される。即ち、図３の長さ可変型素子３００は、伸縮可能な素子である。図４は、本発明の他の実施形態に係る長さ可変型素子を示す図である。図４の長さ可変型素子４００は、第一部品４０２と、第二部品４０４と、を含む。前記第二部品４０４と向き合う第一部品４０２の表面には、凸部４０６が形成され、前記第一部品４０２と向き合う第二部品４０４の表面には、凹部４０８が形成されている。前記凸部４０６と前記凹部４０８の係合により、前記第一部品４０２と前記第二部品４０４が一体に係合される。即ち、図４の、長さ可変型素子４００は、係合可能な素子である。
【００２０】
２つの実施形態に係る長さ可変型素子を説明した後、以下図２Ａのセンサーシステム２００のサイズが変わる方式に対して説明する。図５は、本発明のに係るセンサーシステム２００のサイズが変わる一方式を示す表面図である。図５のセンサーシステム２００の４つの長さ可変型素子で、長さ可変型素子２０２と２０６の長さが矢印の方向５０２に沿って増加され、長さ可変型素子２０４と２０８の長さが矢印の方向５０４に沿って増加されるので、４つの長さ可変型素子による形成される矩形のサイズが変わる。即ち、４つの長さ可変型素子による形成されるセンシング区域が大きくなる。前記長さ可変型素子２０２の長さが矢印の方向５０２に沿って変わる場合、前記画像検出装置２１２も矢印の方向５０２に沿って移動させなければならない。これは、前記画像検出装置２１２が前記センシング区域の隅部に位置する状態を維持し、画像検出装置２１２がサイズが変わるセンシング区域の全体を検出するようにするためである。前記長さ可変型素子２０２の長さが変わる場合、前記画像検出装置２１２と前記電気回路２１４の電気接続される状態も維持しなければならない。
【００２１】
前記長さ可変型素子２０２と２０６の長さを矢印の方向５０２の反対方向へ変え、長さ可変型素子２０４と２０８の長さを矢印の方向５０４へ変えても、センシング区域のサイズが大きくなる。この場合も、前記画像検出装置２１０と２１２がセンシング区域の隅部に置かれる状態を維持しなければならない。
【００２２】
図５で、長さ可変型素子２０２、２０４、２０６及び２０８の長さが変わらない最初の状態になっている場合、本発明のセンサーシステム２００とそのセンシング区域のサイズが最初の使用状態になっている。前記長さ可変型素子２０２、２０４、２０６及び２０８の最初の長さが所定されているので、センシング区域のサイズを知ることができる。従って、前記ポインター２１６がセンシング区域のいずれか位置に置かれても、本発明のセンサーシステム２００がそのポインター２１６の座標を判断することができる。前記センサーシステム２００が前記ポインター２１６の座標を判断する方法は、図６を参照なさい。
【００２３】
図６は、本発明のに係るセンサーシステムがポインターの座標を判断する一方式を示す図である。図６で、２１０と２１２は、画像検出装置を示し、６０２は、センシング区域を示し、６０４は、ポインターを示す。最初の状態になっているセンシング区域６０２は、順に連結される第一辺ＡＢと、第二辺ＢＣと、第三辺ＣＤと、第四辺ＤＡと、を含む。前記画像検出装置２１０と２１２は、センシング方向６０６と６０８に沿って前記ポインター６０４を検出する。前記センシング方向６０６の直線方程式とセンシング方向６０８の直線方程式を知ると、２つのセンシング方向６０６と６０８の交差点により、前記ポインター６０４の座標を得ることができる。以下、図７と図８で、ポインター６０４の座標を得る方法に対してさらに説明する。
【００２４】
図７は、センシング方向６０６の直線方程式を得る方法を説明する図である。図７で、センシング方向６０６の直線方程式を得るために、まず点Ａと点Ａ’の座標を得る。最初の状態になっているセンシング区域６０２のサイズを既知しているので、点Ａ、Ｂ、Ｃ及びＤの座標が既知数であり、点Ａ’のＸ座標だけが未知数である。前記点Ｂと点Ｄを連結する仮定線６１０を仮定する場合、センシング方向６０６と仮定線６１０の交差点Ｚを得ることができる。従って、線ＡＢ、線ＢＺ及び線ＺＡにより形成される三角形と、線ＤＡ’、線Ａ’Ｚ及び線ＺＤにより形成される三角形を得ることができる。前記２つの三角形は、相似三角形（similar triangles）であり、両者が一定の比率関係を有する。即ち、例えば線ＢＺの長さと線ＺＤの長さの比率と、線ＡＢの長さと線ＤＡ’の長さの比率が同じである。従って、線ＢＺの長さと線ＺＤの長さの比率により、前記線ＤＡ’の長さを得ることができる。
【００２５】
実の実施の過程で、前記長さ可変型素子２０４と２０６の反射材料の反射光線により前記仮定線６１０を得ることができる。即ち、長さ可変型素子２０４と２０６の反射材料の反射光線により、前記画像検出装置２１０が検出する画像に形成される高輝度の横線を前記仮定線６１０に見なすことができる。前記高輝度の横線６１０で、前記ポインター６０４により形成される暗影を交差点Ｚに見なすことができる。
【００２６】
図７で、前記画像検出装置２１０の解像度を既知しているので、前記仮定線６１０（即ち、前記画像検出装置２１０が検出する高輝度の横線）の線ＢＺの画素数量と線ＺＤの画素数量を計算することができる。従って、線ＢＺの画素数量と線ＺＤの画素数量の比率により、線ＢＺの長さと線ＺＤの長さの比率を得ることができる。線ＡＢと線ＤＡ’も同じな比率関係を有し、且つ線ＡＢの長さを既知しているので、線ＤＡ’の長さを得て、従って点Ａ’のＸ座標をを得ることができる。従って、点Ａと点Ａ’の座標により、前記センシング方向６０６の直線方程式を得ることができる。
【００２７】
前記センシング方向６０８の直線方程式も上述する方法で得ることができる。図８は、センシング方向６０８の直線方程式を得る方法を説明する図である。図８で、６１２は、仮定線を示し、点Ｚ’は、センシング方向６０８と仮定線６１２の交差点を示す。従って、線ＡＢ、線ＢＺ’及び線Ｚ’Ａにより形成される三角形と、線Ｂ’Ｃ、線ＣＺ’及び線Ｚ’Ｂ’により形成される三角形を得ることができる。前記２つの三角形は、相似三角形であり、一定の比率関係を有する。即ち、線Ｚ’Ａの長さと線ＣＺ’の長さの比率と、線ＡＢの長さと線Ｂ’Ｃの長さの比率が同じである。従って、線Ｚ’Ａの長さと線ＣＺ’の長さの比率により、前記線Ｂ’Ｃの長さを得ることができる。
【００２８】
実の実施の過程で、前記長さ可変型素子２０６と２０８の反射材料の反射光線により前記仮定線６１２を得ることができる。即ち、長さ可変型素子２０６と２０８の反射材料の反射光線により、前記画像検出装置２１２が検出する画像に形成される高輝度の横線を前記仮定線６１２に見なすことができる。前記高輝度の横線６１２で、前記ポインター６０４により形成される暗影を交差点Ｚ’に見なすことができる。
【００２９】
図８で、線ＣＺ’の画素数量と線Ｚ’Ａの画素数量の比率により、線Ｂ’Ｃ長さと点Ｂ’のＸ座標をを得ることができる。従って、点Ｂと点Ｂ’の座標により、前記センシング方向６０８の直線方程式を得ることができる。前記センシング方向６０６の直線方程式と、前記センシング方向６０８の直線方程式を得た後、センシング方向６０６とセンシング方向６０８の交差点を計算することができる。
【００３０】
図５を再度参照なさい。図５で、サイズを大きくするセンサーシステム２００のサイズは、センサーシステム２００のサイズを大きくしようとする目的サイズである。最初の使用状態にあるセンサーシステム２００のサイズを前記目的サイズに大きくする場合、２つのステップにより実現することができる。第一ステップでは、矢印の方向５０２に沿って前記長さ可変型素子２０２と２０６の長さを増やし、第二ステップでは、矢印の方向５０４に沿って前記長さ可変型素子２０４と２０８の長さを増やす。図９では、前記第一ステップを実施した後、前記第二ステップを実施する前に、センサーシステム２００の電気回路２１４が実施する操作に対してさらに説明する。
【００３１】
図９は、本発明のセンサーシステムが第二使用状態になり且つセンシング区域のサイズが第二サイズになる場合、電気回路２１４が実施する操作を説明する図である。図９で、２１０と２１２は、画像検出装置を示し、２１４は、電気回路を示し、６０２は、センシング区域を示す。第二サイズを有する前記センシング区域６０２は、順に連結される第五辺ＡＥと、第六辺ＥＦと、第七辺ＦＤと、第八辺ＤＡと、を含む。図９で、最初サイズを有する前記センシング区域６０２の第一辺、第二辺、第三辺及び第四辺を続けて符号ＡＢ、ＢＣ、ＣＤ及びＤＡで示して、最初サイズを有するセンシング区域６０２の４つの辺と第二サイズを有するセンシング区域６０２の４つの辺が対照されるようにする。図９で知るように、線ＡＥ、線ＦＤ及び線ＤＡと、線ＡＢ、線ＣＤ及び線ＤＡが重なり、且つ線ＡＥと線ＦＤの長さが線ＡＢと線ＣＤの長さより大きい。
【００３２】
前記センサーシステム２００の最後サイズは、目的サイズになることである。前記センサーシステム２００のサイズが目的サイズになる過程で、前記センシング区域６０２のサイズが最初サイズから他のサイズに変わるので、センシング区域６０２の中の点の座標を知ることができない。前記電気回路２１４は、最初サイズになるセンシング区域６０２を基層にして、センサーシステム２００のセンシング区域６０２の目的サイズを計算する。即ち、Ｘ方向で増える長さとＹ方向で増える長さにより、前記センシング区域６０２のサイズを再度定義し、センシング区域６０２の各点の座標を判断することができる。従って、前記センサーシステム２００が前記センシング区域６０２に置かれる前記ポインターの座標を判断することができる。
【００３３】
上述したように、図９で、線ＦＤの長さと線ＣＤの長さの差異を知ると、前記センサーシステム２００のセンシング区域６０２が目的サイズになる時にＸ軸方向で増える長さ（即ち、線ＣＦの長さ）を知ることができる。前記線ＦＤの長さと前記線ＣＤの長さの差異を正確に知るために、前記センサーシステム２００の長さ可変型素子２０６の各面で、前記センシング区域６０２と向き合う面に第一標示を形成する。前記第一標示は、前記線ＣＤの長さを示す。図９で、矢印９０２が前記第一標示を指す。前記センサーシステム２００が最初使用状態から第二使用状態に変え、且つ前記センシング区域６０２が最初サイズから第二サイズに変える場合、前記電気回路２１４が前記画像検出装置２１０と２１２を介して前記第一標示９０２を検出し、且つ前記線ＦＤの長さと前記線ＣＤの長さの差異を知ることができる。即ち、前記線ＣＦの長さを知ることができる。以下、図１０を参照しながら電気回路２１４が線ＦＤの長さと線ＣＤの長さの差異を計算する過程に対して説明する。
【００３４】
図１０は、電気回路が線ＦＤの長さと線ＣＤの長さの差異を計算する過程を説明する図である。図９と図１０を参照なさい。まず、前記電気回路２１４が前記画像検出装置２１０と２１２が前記センシング区域６０２を検出して得る画像で、線ＡＥと線ＤＡの交差点Ａと、線ＡＥと線ＥＦの交差点Ｅと、線ＥＦと線ＦＤの交差点Ｆを判断する。この過程は、図１０のステップＳ１００２を参照なさい。且つ、前記記画像検出装置２１２がセンシング方向９０４（即ち、点Ｅから第一標示９０２までの直線）に沿って前記第一標示９０２を検出することができる。
【００３５】
点Ａと点Ｆを直線で連結して仮定線９０６を形成し、且つセンシング方向９０４と仮定線９０６の交差点Ｖを探し出す。且つ、第二サイズになる前記センシング区域６０２で、前記センシング方向９０４と前記仮定線９０６により形成される２つの相似三角形を探し出す。即ち、線ＡＥ、線ＥＶ及び線ＶＡにより形成される三角形と、線ＣＦ、線ＦＶ及び線ＶＣにより形成される三角形を探し出す。前記電気回路２１４は、前記２つの相似三角形の比率関係により線ＦＤの長さと線ＣＤの長さの差異を判断する。この過程は、図１０のステップＳ１００４を参照なさい。前記ステップで、線ＦＶの長さと線ＶＡの長さの比率と線ＣＦの長さと線ＡＥの長さの比率が同じであり、且つその比率により、線ＦＤの長さと線ＣＤの長さの差異を計算する。その差異を計算する公式は以下の通りである。
【００３６】
【数１】
2010146573.tif 000003
【００３７】
上述したようにＢＥ=ＣＦであるので、公式（１）で公式（２）に変えることができる、即ち、
【００３８】
【数２】
2010146573.tif 000004
【００３９】
実の実施の過程で、前記長さ可変型素子２０６と２０８の反射材料の反射光線により前記仮定線９０６を得ることができる。即ち、長さ可変型素子２０６と２０８の反射材料の反射光線により、前記画像検出装置２１２が検出する画像に形成される高輝度の横線を前記仮定線９０６に見なすことができる。前記高輝度の横線９０６で、点Ｖに対応する位置に前記第一標示９０２により形成される暗影が形成される。前記画像検出装置２１２の解像度を既知しているので、前記電気回路２１４が仮定線９０２（即ち、前記画像検出装置２１２が検出する高輝度の横線）の線ＦＶの画素数量と線ＶＡの画素数量を計算することができる。従って、線ＦＶの画素数量と線ＶＡの画素数量の比率により、線ＦＶの長さと線ＶＡの長さの比率を得ることができる。且つ、線ＡＢの長さを既知しているので、前記電気回路２１４が前記線ＣＦの長さを知り、線ＦＤの長さと線ＣＤの長さの差異を判断することができる。
【００４０】
図１１では、前記第二ステップを実施した後、センサーシステム２００の電気回路２１４が実施する操作に対してさらに説明する。図１１は、本発明のセンサーシステムが第三使用状態になり且つセンシング区域のサイズが第三サイズになる場合、電気回路２１４が実施する操作を説明する図である。図１１で、第三サイズになるセンシング区域６０２は、順に連結される第九辺ＡＥと、第十辺ＥＨと、第十一辺ＨＧと、第十二辺ＧＡと、を含む。図１１で、第二サイズになるセンシング区域６０２の第五辺、第六辺、第七辺及び第八辺を続けて符号ＡＥ、ＥＦ、ＦＤ及びＤＡで示して、第二サイズを有するセンシング区域６０２の４つの辺と第三サイズを有するセンシング区域６０２の４つの辺が対照されるようにする。図１１で知るように、線ＡＥ、線ＥＨ及び線ＧＡと、線ＡＥ、線ＥＦ及び線ＤＡが重なり、且つ線ＥＨと線ＧＡの長さが線ＥＦと線ＤＡの長さより大きい。
【００４１】
上述したように、図１１で、線ＧＡの長さと線ＤＡの長さの差異を知ると、前記センサーシステム２００のセンシング区域６０２が目的サイズになる時にＸ軸方向で増える長さ（即ち、線ＤＧの長さ）を知ることができる。前記線ＧＡの長さと前記線ＤＡの長さの差異を正確に知るために、前記センサーシステム２００の長さ可変型素子２０８の各面で、前記センシング区域６０２と向き合う面に第二標示を形成する。前記第二標示は、前記線ＤＡの長さを示す。図１１で、矢印９０８で前記第二標示を指す。前記センサーシステム２００が第二使用状態から第三使用状態に変え、且つ前記センシング区域６０２が第二サイズから第三サイズに変える場合、前記電気回路２１４が前記画像検出装置２１０と２１２を介して前記第二標示９０８を検出し、且つ前記線ＧＡの長さと前記線ＤＡの長さの差異を知ることができる。即ち、前記線ＤＧの長さを知ることができる。以下、図１２を参照しながら電気回路２１４が線ＧＡの長さと線ＤＡの長さの差異を計算する過程に対して説明する。
【００４２】
図１２は、電気回路が線ＧＡの長さと線ＤＡの長さの差異を計算する過程を説明する図である。図１１と図１２を参照なさい。まず、前記電気回路２１４が前記画像検出装置２１０と２１２が前記センシング区域６０２を検出して得る画像で、線ＡＥと線ＧＡの交差点Ａと、線ＡＥと線ＥＨの交差点Ｅと、線ＥＨと線ＨＧの交差点Ｈを判断する。この過程は、図１２のステップＳ１２０２を参照なさい。且つ、前記記画像検出装置２１２がセンシング方向９１０（即ち、点Ｅから第二標示９０８までの直線）に沿って前記第二標示９０８を検出することができる。
【００４３】
点Ａと点Ｈを直線で連結して仮定線９１２を形成し、且つセンシング方向９１０と仮定線９１２の交差点Ｖ’を探し出す。且つ、第三サイズになる前記センシング区域６０２で、前記センシング方向９０４と前記仮定線９０６により形成される２つの相似三角形を探し出す。即ち、線ＡＶ’、線Ｖ’Ｄ及び線ＤＡにより形成される三角形と、線Ｖ’Ｅ、線ＥＨ及び線ＨＶ’により形成される三角形を探し出す。前記電気回路２１４は、前記２つの相似三角形の比率関係により線ＧＡの長さと線ＤＡの長さの差異を判断する。この過程は、図１２のステップＳ１２０４を参照なさい。前記ステップで、線ＡＶ’の長さと線ＨＶ’の長さの比率と線ＤＡの長さと線ＥＨの長さの比率が同じであり、且つその比率により線ＧＡの長さと線ＤＡの長さの差異を計算する。その差異を計算する公式は以下の通りである。
【００４４】
【数３】
2010146573.tif 000005
【００４５】
上述したようにＦＨ=ＤＧであるので、公式（３）で公式（４）に変えることができる、即ち、
【００４６】
【数４】
2010146573.tif 000006
【００４７】
実の実施の過程で、前記長さ可変型素子２０６と２０８の反射材料の反射光線により前記仮定線９１２を得ることができる。即ち、長さ可変型素子２０６と２０８の反射材料の反射光線により前記画像検出装置２１２が検出する画像に形成される高輝度の横線を前記仮定線９１２に見なすことができる。前記高輝度の横線９１２で、点Ｖ’に対応する位置に前記第二標示９０８により形成される暗影が形成される。前記画像検出装置２１２の解像度を既知しているので、前記電気回路２１４が仮定線９１２（即ち、前記画像検出装置２１２が検出する高輝度の横線）の線ＡＶ’の画素数量と線ＨＶ’の画素数量を計算することができる。従って、線ＡＶ’の画素数量と線ＨＶ’の画素数量の比率により、線ＡＶ’の長さと線ＨＶ’の長さの比率を得ることができる。且つ、線ＤＡとＥＦ線の長さを既知しているので、前記電気回路２１４が前記線ＤＧの長さを知り、線ＧＡの長さと線ＤＡの長さの差異を知ることができる。前記線ＣＦの長さと線ＤＧの長さを知った後、前記電気回路２１４が前記センシング区域６０２のサイズを再度定義し、センシング区域６０２の各点の座標を判断する。従って、前記センサーシステム２００のサイズが目的サイズになった後も、センサーシステム２００が前記センシング区域６０２に置かれる前記ポインターの座標を判断することができる。例えば、図６〜図８に記述する方向でポインターの座標を判断することができる。
【００４８】
前記センサーシステム２００のサイズが増加される後、前記センシング区域６０２のサイズを再度定義する。即ち、前記センサーシステム２００に対して、需要することに従って入力する座標の面積のサイズを変えることができる。周知のように、図５で記述する最初使用状態になるセンサーシステム２００で、矢印５０４の方向に沿って長さ可変型素子２０４と２０８の長さを増やす後、矢印５０２の方向に沿って長さ可変型素子２０２と２０６の長さを増やすと、センサーシステム２００のサイズが目的サイズになる。この場合、前記電気回路２１４の操作も変えなければならない。
【００４９】
他の実施形態で、最初使用状態になっているセンサーシステム２００で、長さ可変型素子２０２と２０６の長さだけを矢印５０２の方向に沿って増やすことができる。サイズが変化される後、前記第一標示９０２を介して前記センシング区域６０２のサイズを再度定義する必要がある。又は、最初使用状態になっているセンサーシステム２００で、長さ可変型素子２０４と２０８の長さだけを矢印５０４の方向に沿って増やすこともできる。この場合も、サイズを変える後、前記第二標示９０８を介して前記センシング区域６０２のサイズを再度定義する必要がある。他の実施形態で、図２Ａの長さ可変型素子２０４と２０８を長さを変えることができない普通の素子に換えるか、可変型素子２０２と２０６を長さを変えることができない普通の素子に換えてもよい。
【００５０】
図１３は、本発明の長さ可変型素子の反射材料と組み合わせて使える画像検出装置を示す図である。図１３の画像検出装置１３００は、赤外線照明装置１３０２と、赤外線だけを通させる赤外線透過装置１３０４と、光学的センサー（photosensor）１３０６と、を含む。前記光学的センサー１３０６は、前記赤外線透過装置１３０４により前記センシング区域の画像を検出し、且つその画像を電気接続される電気回路２１４に転送する。前記赤外線照明装置１３０２として赤外線発光ダイオードを使い、前記赤外線透過装置１３０４として赤外線透過フィルタを使うことができる。
【００５１】
図２Ａの画像検出装置２１０の代わりに図１３の画像検出装置１３００を使い、前記赤外線照明装置１３０２が正常に発光し、且つ前記センサーシステム２００のサイズを増やす場合、前記画像検出装置２１０が検出する画像を図１４で説明することができる。図１４は、図２Ａの画像検出装置２１０が検出する画像を説明する図である。図１４で、１４００は、画像検出装置２１０の画像検出用窓（image sensing window）を示し、１４０２は、長さ可変型素子の反射材料の反射光線による画像検出装置２１０が検出する画像の上に形成される高輝度区域（bright zone）を示し、１４０４は、ポインターにより形成される暗影を示し、１４０６は、第一標示を示す。前記高輝度区域１４０２は、主なセンシング区域になる。上述したように、前記反射材料は、前記画像検出装置２１０が前記センシング区域の画像を検出する時に前記ポインター２１６の背景になって、ポインター２１６の位置が著しくするようにする。本発明で、標示の形状に対しては限定しないが、前記画像検出装置がその標示を検出する場合に、前記標示と反射材料を区分できるようにする必要がある。
【００５２】
前記実施形態で、前記第一標示９０２は、前記センシング区域の４つの辺の中で長さ可変型素子２０６が形成される辺の長さを示す。周知のように、前記第一標示９０２が前記センシング区域６０２と向き合う長さ可変型素子２０６の表面に形成され、且つ前記第一標示９０２と前記長さ可変型素子２０６との間に一定な距離がある場合も、前記２つの画像検出装置で前記第一標示９０２を検出することができる。従って、検出する前記第一標示９０２により、最初サイズになるセンシング区域６０２の４つの辺の中で前記長さ可変型素子２０６が形成される辺と、第二サイズになるセンシング区域６０２の４つの辺の中で前記長さ可変型素子２０６が形成される辺と、の差異を計算し、且つ前記センシング区域６０２のサイズを再度定義することができる。同じに、前記第二標示９０８が前記センシング区域６０２と向き合う長さ可変型素子２０８の表面に形成され、且つ前記第二標示９０８と前記長さ可変型素子２０８との間に一定な距離がある場合も、前記２つの画像検出装置で前記第二標示９０８を検出することができる。従って、検出する前記第二標示９０８により、最初サイズになるセンシング区域６０２の４つの辺の中で前記長さ可変型素子２０８が形成される辺と、第二サイズになるセンシング区域６０２の４つの辺の中で前記長さ可変型素子２０８が形成される辺と、の差異を計算し、且つ前記センシング区域６０２のサイズを再度定義することができる。
【００５３】
上述した実施形態で、センシング区域６０２のサイズを再度定義する２つの方法を知ることができる。１つの方法は、図１５を参照することができる。図１５は、本発明の第一実施形態に係るセンシング区域のサイズの再定義方法を説明する流れ図である。図１５の方法は、サイズ可変型センサーシステムに適用する。前記センサーシステムは、順に連結されて框を形成する第一素子、第二素子、第三素子及び第四素子を含む。前記第三素子及び第四素子は、所定の方向に沿って長さを加減することができる。前記第三素子及び第四素子の長さを加減することにより、４つの素子により形成される框のサイズを変えることができる。前記框の内の平行四辺形をセンシング区域にする。前記４つの素子の中で、前記センシング区域と向き合う第二素子の表面、第三素子の表面及び第四素子の表面には、反射材料が形成されている。前記センサーシステムは、前記センシング区域と向き合う第三素子の表面に形成され、且つ前記第四素子と一定の距離がある標示をさらに含む。上述する方法で、まず前記センサーシステムの使用状態を最初使用状態から第二使用状態に変えると、センシング区域のサイズが最初サイズから第二サイズに変える。この過程は、図１５のステップＳ１５０２を参照することができる。次に、前記標示により、最初サイズになるセンシング区域の４つの辺の中で前記第三素子が形成される辺と、第二サイズになるセンシング区域の４つの辺の中で前記第三素子が形成される辺と、の差異を計算する。従って、前記センシング区域のサイズを再度定義する。この過程は、図１５のステップＳ１５０４を参照することができる。
【００５４】
図１６は、本発明の他の実施形態に係るセンシング区域のサイズの再定義方法を説明する流れ図である。図１６の方法は、サイズ可変型センサーシステムに適用する。前記センサーシステムは、順に連結されて框を形成する第一素子、第二素子、第三素子及び第四素子を含む。前記第二素子及び第四素子は、所定の方向に沿って長さを増やすことができる。所定の方向は、前記第一素子との距離が遠くなる方向を指す。前記第二素子及び第四素子の長さを増やすことにより、４つの素子により形成される框のサイズを変えることができる。前記框の内の平行四辺形をセンシング区域にする。前記４つの素子の中で、前記センシング区域と向き合う第二素子の表面、第三素子の表面及び第四素子の表面には、反射材料が形成されている。前記センサーシステムは、前記センシング区域と向き合う第四素子の表面に形成され、且つ前記第一素子と一定の距離がある第一標示をさらに含む。上述する方法で、まず前記センサーシステムの使用状態を最初使用状態から第二使用状態に変えると、センシング区域のサイズが最初サイズから第二サイズに変える。この過程は、図１６のステップＳ１６０２を参照することができる。次に、前記標示により、最初サイズになるセンシング区域の４つの辺の中で前記第四素子が形成される辺と、第二サイズになるセンシング区域の４つの辺の中で前記第四素子が形成される辺と、の差異を計算する。従って、前記センシング区域のサイズを再度定義する。この過程は、図１６のステップＳ１６０４を参照することができる。
【００５５】
図１７は、本発明に係るサイズ可変型センサーシステムを使う一応用例を示す図である。図１７に示したように、本発明の可変型センサーシステム１７０２をパソコンの表示装置１７０４に設置して、手或いは他のポインターを介して前記表示装置１７０４で座標位置を入力することができる。即ち、一般的なパソコンの表示装置１７０４をタッチスクリーン（touch screen）に使うことができる。前記可変型センサーシステム１７０２に設置される通信手段が有線通信手段である場合、有線で前記可変型センサーシステム１７０２の位置データをパソコン本体（host）に１７０６に転送することができる。前記可変型センサーシステム１７０２に設置される通信手段が無線通信手段である場合、無線で前記可変型センサーシステム１７０２の位置データをパソコン本体に１７０６に転送することができる。
【００５６】
上述するように、本発明のサイズ可変型センサーシステムは、主に４つの素子と、標示と、２つの画像検出装置と、を含む。前記４つの素子を順に連結して框を形成し、框の内の平行四辺形をセンシング区域にする。前記４つの素子の中で、２つの素子の長さを変えられ、且つ素子の長さを変えることにより框のサイズを変えることができる。前記センサーシステムは、第一使用状態と第二使用状態を有し、前記センシング区域は、前記第一使用状態と第二使用状態に対応する最初サイズと第二サイズを有する。前記最初サイズは、所定されるサイズであり、前記第二サイズは、前記最初サイズより大きいサイズである。前記標示は、所定の長さを示す。前記２つの画像検出装置は、センサーシステムが第一使用状態から第二使用状態になる時に適合な位置に移動するように設置されている。前記センサーシステムが第一使用状態から第二使用状態になり、前記センシング区域のサイズが最初サイズから第二サイズになる場合、前記画像検出装置が検出する標示により、センシング区域のサイズを再度定義することができる。前記センシング区域のサイズがセンサーシステムの使用状態に従って調節され且つ再度定義されるので、使用者が需要に従って座標を入力する面積のサイズを変えることができる。
【符号の説明】
【００５７】
１００、２００、１７０２  センサーシステム
１１０  パネル
１１２  タッチサーフェス
１２０、１３０、２１０、２１２、１３００  画像検出装置
１４０、２１４  電気回路
１５０、２１６、６０４  ポインター
１６２、１６４、６０６、６０８、９０４、９１０  センシング方向
２０２、２０４、２０６、２０８、３００、４００  長さ可変型素子
２１８  通信手段
２８０  透明板
２８２、２８４、２８６  透明窓口
３０２、３０４  容器
３０４−１、３０４−２、４０２、４０４  部品
４０６  凸部
４０８  凹部
５０２、５０４  矢印
６０２  センシング区域
６１０、６１２、９０６、９１２  仮定線
９０２  第一標示
９０８  第二標示
１３０２  赤外線照明装置
１３０４  赤外線透過装置
１３０６  光学的センサー
１４００  画像検出用窓
１４０２  高輝度区域
１４０４  暗影
１４０６  検出する第一標示
１７０４  表示装置
１７０６  パソコン本体
Ｓ１００２、Ｓ１００４、Ｓ１２０２、Ｓ１２０４、Ｓ１５０２、Ｓ１５０４、Ｓ１６０２、Ｓ１６０４  ステップ
Ａ、Ｂ、Ｃ、Ｄ、Ｅ、Ｆ、Ｇ、Ｈ、Ｖ、Ｚ、Ａ’、Ｂ’、Ｖ’、Ｚ’  点
【図１】
2010146573.tif 000007
【図２Ａ】
2010146573.tif 000008
【図２Ｂ】
2010146573.tif 000009
【図２Ｃ】
2010146573.tif 000010
【図２Ｄ】
2010146573.tif 000011
【図３】
2010146573.tif 000012
【図４】
2010146573.tif 000013
【図５】
2010146573.tif 000014
【図６】
2010146573.tif 000015
【図７】
2010146573.tif 000016
【図８】
2010146573.tif 000017
【図９】
2010146573.tif 000018
【図１０】
2010146573.tif 000019
【図１１】
2010146573.tif 000020
【図１２】
2010146573.tif 000021
【図１３】
2010146573.tif 000022
【図１４】
2010146573.tif 000023
【図１５】
2010146573.tif 000024
【図１６】
2010146573.tif 000025
【図１７】
2010146573.tif 000026